【手続補正書】
【提出日】平成23年12月12日(2011.12.12)
【手続補正１】
【補正対象書類名】特許請求の範囲
【補正対象項目名】全文
【補正方法】変更
【補正の内容】
【特許請求の範囲】
【請求項１】
オンラインコンテンツの共同編集モデルを提供するための方法であって、
第1の公開バージョンのコンテンツを含む、ユーザ作成オンラインコンテンツを受信するステップと、
複数のユーザから、前記オンラインコンテンツに対する1組の提案される編集を受信するステップであって、前記組の中の各提案される編集は、前記第1の公開バージョンに関係する、1組の提案される編集を受信するステップと、
前記1組の提案される編集を、前記オンラインコンテンツの許可された編集者に提供するステップであって、前記編集者は、前記第1の公開バージョンの前記コンテンツと前記提案される編集との間の違いを視覚的に知らされ、第1の提案される編集が第2の提案される編集と共存できない場合に競合が存在するとき、2つ以上の提案される編集間に存在する競合について知らされる、前記オンラインコンテンツの許可された編集者に提供するステップと、
競合を解決し、前記組の中の提案される編集を承認し、または拒否する入力を前記編集者から受け取るステップと、
第2の公開バージョンの前記コンテンツを生成するために、前記1組の提案される編集および前記編集者からの前記入力に基づいて、前記第1の公開バージョンの前記コンテンツを修正するステップと、
承認も拒否もされず、前記第2の公開バージョンの前記コンテンツと競合しない、前記組からの提案される編集を、将来、前記第2の公開バージョンの前記コンテンツに関して、編集者が前記繰り越された提案される編集を承認しまたは拒否する入力を行うために、繰り越すステップと
を含む、方法。
【請求項２】
前記オンラインコンテンツに対する追加編集を含む追加入力を前記編集者から受け取るステップ
をさらに含み、
前記第2の公開バージョンの前記コンテンツが前記追加編集にさらに基づく、請求項１に記載の方法。
【請求項３】
検索クエリによって指定される基準を満たすオンラインコンテンツに対する、前記検索クエリを受信するステップと、
前記ユーザ作成オンラインコンテンツが前記基準を満たすかどうかを判定するステップと、
前記検索クエリに応答して、前記ユーザ作成オンラインコンテンツを提供するステップと
をさらに含む、請求項１に記載の方法。
【請求項４】
提案される編集を保留するための入力を前記編集者から受け取る場合、前記第2の公開バージョンの前記オンラインコンテンツに関して、前記提案される編集が未決のままでいる、請求項１に記載の方法。
【請求項５】
第1の提案される編集と第2の提案される編集との間の競合を検出するステップと、
前記競合を前記編集者に知らせるステップと、
前記競合に対する解決策を提供する追加入力を前記編集者から受け取るステップと
をさらに含む、請求項１に記載の方法。
【請求項６】
前記提案される編集を編集者に提供するステップは、前記第1の公開バージョンの前記オンラインコンテンツに関する前記提案される編集を示す、マークアップバージョンの前記オンラインコンテンツを提供するステップを含む、請求項１に記載の方法。
【請求項７】
前記第1の公開バージョンのオンラインコンテンツと、前の公開バージョンのオンラインコンテンツとの間の違いを示す、マークアップビューのオンラインコンテンツを提供するステップをさらに含む、請求項１に記載の方法。
【請求項８】
前記提案される編集のうちの1つまたは複数に付加されるコメントを受信するステップと、
前記コメントを前記編集者に提供するステップと、
前記コメントのうちの少なくとも1つに対する前記編集者からの返答を記録するステップと
をさらに含む、請求項１に記載の方法。
【請求項９】
オンラインコンテンツの共同編集モデルを提供するシステムであって、
ユーザ作成オンラインコンテンツを記憶するように構成されるデータ記憶部と、
前記オンラインコンテンツに対する1組の提案される編集を受信するように構成される提案される編集モジュールであって、前記1組の提案される編集が複数のユーザによって提供され、各提案される編集が第1の公開バージョンの前記オンラインコンテンツに関係する、提案される編集モジュールと、
前記1組の提案される編集を、前記オンラインコンテンツの許可された編集者に提供し、
前記第1の公開バージョンの前記コンテンツと前記1組の提案される編集との間の違い、および2つ以上の提案される編集間に存在する競合を前記編集者に視覚的に知らせ、
競合を解決し、前記組の中の提案される編集を承認し、または拒否する入力を前記編集者から受け取り、
第2の公開バージョンを生成するために、前記提案される編集および前記編集者からの前記入力に基づいて、第1の公開バージョンの前記オンラインコンテンツを修正し、
承認も拒否もされず、前記第2の公開バージョンの前記コンテンツと競合しない、前記組からの提案される編集を、将来、前記第2の公開バージョンの前記コンテンツに関して、編集者が前記繰り越された提案される編集を承認しまたは拒否する入力を行うために繰り越す
ように構成される編集モジュールと
を備える、システム。
【請求項１０】
前記編集モジュールが、
第1の提案される編集と第2の提案される編集との間の競合を検出し、
前記競合を前記編集者に知らせ、
前記競合に対する解決策を提供する追加入力を前記編集者から受け取る
ようにさらに構成される、請求項９に記載のシステム。
【請求項１１】
検索クエリによって指定される基準を満たすオンラインコンテンツに対する、前記検索クエリを受信し、
前記ユーザ作成オンラインコンテンツが前記基準を満たすかどうかを判定し、
前記検索クエリに応答して、前記ユーザ作成オンラインコンテンツを提供する
ように構成される検索エンジン
をさらに備える、請求項９に記載のシステム。
【請求項１２】
前記編集モジュールが、
前記第1の公開バージョンのオンラインコンテンツと、前の公開バージョンのオンラインコンテンツとの間の違いを示す、マークアップビューのオンラインコンテンツを提供する
ようにさらに構成される、請求項９に記載のシステム。
【請求項１３】
前記提案される編集モジュールが、前記提案される編集のうちの1つまたは複数に付加されるコメントを受信するようにさらに構成され、
前記編集モジュールが、前記コメントを前記編集者に提供し、前記コメントのうちの少なくとも1つに対する前記編集者からの返答を記録するようにさらに構成される、
請求項９に記載のシステム。
【請求項１４】
プロセッサによって実行されるときに、
第1の公開バージョンのコンテンツを含む、ユーザ作成オンラインコンテンツを受信するステップと、
複数のユーザから、前記オンラインコンテンツに対する1組の提案される編集を受信するステップであって、前記組の中の各提案される編集は、前記第1の公開バージョンに関係する、1組の提案される編集を受信するステップと、
前記1組の提案される編集を、前記オンラインコンテンツの許可された編集者に提供するステップであって、前記編集者は、前記第1の公開バージョンの前記コンテンツと前記提案される編集との間の違いを視覚的に知らされ、第1の提案される編集が第2の提案される編集と共存できない場合に競合が存在するとき、2つ以上の提案される編集間に存在する競合について知らされる、前記オンラインコンテンツの許可された編集者に提供するステップと、
競合を解決し、前記組の中の提案される編集を承認し、または拒否する入力を前記編集者から受け取るステップと、
第2の公開バージョンの前記コンテンツを生成するために、前記1組の提案される編集および前記編集者からの前記入力に基づいて、前記第1の公開バージョンの前記コンテンツを修正するステップと、
承認も拒否もされず、前記第2の公開バージョンの前記コンテンツと競合しない、前記組からの提案される編集を、将来、前記第2の公開バージョンの前記コンテンツに関して、編集者が前記繰り越された提案される編集を承認しまたは拒否する入力を行うために、繰り越すステップと
を含む操作を前記プロセッサに実行させる命令が記憶されたコンピュータ読み取り可能な媒体。
【請求項１５】
プロセッサと、
前記プロセッサに結合され、前記プロセッサによって実行されるときに、
第1の公開バージョンのコンテンツを含む、ユーザ作成オンラインコンテンツを受信するステップと、
複数のユーザから、前記オンラインコンテンツに対する1組の提案される編集を受信するステップであって、前記組の中の各提案される編集は、前記第1の公開バージョンに関係する、1組の提案される編集を受信するステップと、
前記1組の提案される編集を、前記オンラインコンテンツの許可された編集者に提供するステップであって、前記編集者は、前記第1の公開バージョンの前記コンテンツと前記提案される編集との間の違いを視覚的に知らされ、第1の提案される編集が第2の提案される編集と共存できない場合に競合が存在するとき、2つ以上の提案される編集間に存在する競合について知らされる、前記オンラインコンテンツの許可された編集者に提供するステップと、
競合を解決し、前記組の中の提案される編集を承認し、または拒否する入力を前記編集者から受け取るステップと、
第2の公開バージョンの前記コンテンツを生成するために、前記1組の提案される編集および前記編集者からの前記入力に基づいて、前記第1の公開バージョンの前記コンテンツを修正するステップと、
承認も拒否もされず、前記第2の公開バージョンの前記コンテンツと競合しない、前記組からの提案される編集を、将来、前記第2の公開バージョンの前記コンテンツに関して、編集者が前記繰り越された提案される編集を承認しまたは拒否する入力を行うために、繰り越すステップと
を含む操作を前記プロセッサに実行させる命令を記憶するように構成可能な、記憶装置と
を備える、システム。